(57)【要約】【課題】  新しいシステムオーバヘッドを導入することがなく、ＡＭＣの流れを簡単化し、システムの周波数スペクトル効率を高くするＬＴＥシステムにおけるリンク適応方法、基地局および端末を提供する。【解決手段】  端末が測定した帰属サービスセルの参照信号受信電力ＲＳＲＰと複数の隣接セルのそれぞれのＲＳＲＰとの差を計算することと、端末が最大の差を基地局に報告することと、基地局が最大の差に基づいて端末の変調符号化方式ＭＣＳを決定することと、を含むＬＴＥシステムにおけるリンク適応方法。【選択図】図１
2013531421.tif 000002
【特許請求の範囲】
【請求項１】
端末が測定した帰属サービスセルの参照信号受信電力ＲＳＲＰと複数の隣接セルのそれぞれのＲＳＲＰとの差を計算することと、
前記端末が最大の差を基地局に報告することと、
前記基地局が前記最大の差に基づいて前記端末の変調符号化方式ＭＣＳを決定することと、
を含むことを特徴とするＬＴＥシステムにおけるリンク適応方法。
【請求項２】
前記基地局は、前記端末のＭＣＳを決定すると共に、前記端末のＭＣＳに対応するコードレートを決定することを特徴とする請求項１に記載のＬＴＥシステムにおけるリンク適応方法。
【請求項３】
前記基地局が前記最大の差に基づいて前記端末のＭＣＳおよび対応するコードレートを決定することは、
前記基地局が、各々の差に対応するＭＣＳおよびそのコードレートが記憶された予め設定された対応関係テーブルから、前記最大の差に対応するＭＣＳ及びそのコードレートを探し出すことを含む、ことを特徴とする請求項２に記載のＬＴＥシステムにおけるリンク適応方法。
【請求項４】
前記基地局が前記最大の差に基づいて前記端末のＭＣＳおよび対応するコードレートを決定した後、
前記基地局が前記ＭＣＳ及び対応するコードレート、前記端末の現在の電力ヘッドルーム報告ＰＨＲにより、前記端末が現在の送信電力を調整するための前記端末の送信電力変化値を決定することをさらに含む、ことを特徴とする請求項２に記載のＬＴＥシステムにおけるリンク適応方法。
【請求項５】
前記基地局が前記ＭＣＳ及び対応するコードレート、前記端末の現在のＰＨＲにより前記端末の送信電力変化値を決定することは、
前記基地局が前記ＭＣＳ及び対応するコードレートにより、前記コードレートに達するのに必要な最小の信号対雑音比ＳＮＲを決定することと、前記端末が前記最小のＳＮＲに達するのに必要な最小送信電力を決定することとを含む、前記基地局が前記ＭＣＳ及び対応するコードレートにより、前記端末がコードレートに達するのに必要な最小送信電力を決定することと、
前記基地局が前記端末の現在のＰＨＲと前記最小送信電力により前記端末の送信電力変化値を決定することとを含む、ことを特徴とする請求項４に記載のＬＴＥシステムにおけるリンク適応方法。
【請求項６】
前記基地局が前記端末の送信電力変化値を決定した後、前記基地局が送信電力制御ＴＰＣコマンドを介して前記送信電力変化値を前記端末に送信することをさらに含むことを特徴とする請求項４に記載のＬＴＥシステムにおけるリンク適応方法。
【請求項７】
前記端末が測定報告により前記最大の差を前記基地局に報告することを特徴とする請求項１に記載のＬＴＥシステムにおけるリンク適応方法。
【請求項８】
端末が測定した帰属サービスセルの参照信号受信電力ＲＳＲＰと複数の隣接セルのそれぞれのＲＳＲＰとの差を計算して得た複数の差のうちの最大値である、前記端末により報告された最大の差を受信する受信モジュールと、
前記最大の差に基づいて前記端末の変調符号化方式ＭＣＳを決定するＭＣＳ決定モジュールと、
を備えることを特徴とする基地局。
【請求項９】
前記ＭＣＳ決定モジュールは、前記端末のＭＣＳを決定すると共に、前記端末のＭＣＳに対応するコードレートを決定することを特徴とする請求項８に記載の基地局。
【請求項１０】
前記ＭＣＳ決定モジュールにより決定されたＭＣＳ及び対応するコードレート、前記端末の現在のＰＨＲにより、前記端末が現在の送信電力を調整するための前記端末の送信電力変化値を決定する変化値決定モジュールをさらに備えることを特徴とする請求項９に記載の基地局。
【請求項１１】
測定した帰属サービスセルの参照信号受信電力ＲＳＲＰと複数の隣接セルのそれぞれのＲＳＲＰとの差を計算する計算モジュールと、
基地局が最大の差に基づいて端末の変調符号化方式ＭＣＳ及びそのコードレート、送信電力変化値を決定するように、前記最大の差を前記基地局に報告する送信モジュールと、
を備えることを特徴とする端末。
【発明の詳細な説明】
【技術分野】
【０００１】
本発明は、通信分野に関し、具体的には、ＬＴＥ（Ｌｏｎｇ  Ｔｅｒｍ  Ｅｖｏｌｕｔｉｏｎ）システムにおけるリンク適応方法、基地局および端末に関する。
【背景技術】
【０００２】
リンク適応（Ｌｉｎｋ  Ａｄａｐｔａｔｉｏｎ）技術は、無線チャネルの経時変化を解消するためにシステムのリソースを活用した技術である。その主な利点は、通信信頼性の向上、電力リソースおよび周波数利用率の向上、システムのスループットの向上である。ＬＴＥシステムにおけるリンク適応方式として、主にＡＭＣと電力制御方式がある。ＡＭＣ（Ａｄａｐｔｉｖｅ  Ｍｏｄｕｌａｔｉｏｎ  ａｎｄ  Ｃｏｄｉｎｇ、適応変調符号化）は、チャネル状況に基づいてチャネルの容量を決定し、チャネルの容量に基づいて変調符号化方式を動態的に調整することである。ＡＭＣにより、情報の送信を最大限に行うことができ、より高いデータレートが実現され、リンクの周波数スペクトル効率が向上し、システム全体のスループットが向上する。
【０００３】
下り方向のリンク適応技術は、ユーザ端末（ＵＥ）によりフィードバックされたＣＱＩ（Ｃｈａｎｎｅｌ  Ｑｕａｌｉｔｙ  Ｉｎｄｉｃａｔｏｒ、チャネル品質表示）に基づいて、予め定義されたＣＱＩテーブルから変調符号化方式を対応付けるものである。上りリンク制御チャネルのオーバヘッドを省くために、ＣＱＩのフィードバックは、他の上りリンクフィードバック量であるＰＭＩ（Ｐｒｅｃｏｄｉｎｇ  Ｍａｔｒｉｘ  Ｉｎｄｉｃａｔｏｒ）とＲＩ（Ｒａｎｋ  Ｉｎｄｉｃａｔｉｏｎ）とを組み合わせて行われる。時間的には、周期性フィードバックと非周期性フィードバックに分けることができる。フィードバックには、ＰＵＣＣＨ（Ｐｈｙｓｉｃａｌ  Ｕｐｌｉｎｋ  Ｃｏｎｔｒｏｌ  ｃｈａｎｎｅｌ、物理上りリンク制御チャネル）を用いてもよいし、ＰＵＳＣＨ（Ｐｈｙｓｉｃａｌ  Ｕｐｌｉｎｋ  Ｓｈａｒｅｄ  ｃｈａｎｎｅｌ、物理上りリンク共有チャネル）を用いてもよい。上り方向のリンク適応技術は、基地局により測定された上りリンクチャネル品質に基づいて、具体的な変調符号化方式を直接決定するものである。
【０００４】
適応電力制御技術としては、ユーザの電力余剰量を十分に利用し、送信電力を向上させることによりユーザの信号品質を向上させ、上位（ｈｉｇｈ−ｏｒｄｅｒ）のＭＣＳ（Ｍｏｄｕｌａｔｉｏｎ  ａｎｄ  Ｃｏｄｉｎｇ  Ｓｃｈｅｍｅ、変調符号化方式）を極力選択し、セルのスループットを最大化にすることと、基地局により受信されたユーザの電力密度を、できるだけ一定のレベルに制御することにより、セルの干渉を抑制し、セルの信号環境の安定性とネットワーク全体の性能を向上させることとの２つの汎用の上りリンク電力制御方法がある。
【０００５】
しかしながら、従来の適応変調符号化技術の適用では、リンク適応を実現するには、端末は、別途に下りリンクのチャネル品質表示（ＣＱＩ）をさらに測定する必要があり、上りリンク送信において当該測定された下りリンクのチャネル品質表示を基地局に報告し、基地局は、このＣＱＩを用いて、対応するルックアップテーブルからＭＣＳを探し出す。これにより、流れが複雑になり、端末は、特にＣＱＩを測定する必要があるため、システムのスループットが増加する。
【発明の概要】
【発明が解決しようとする課題】
【０００６】
本発明は、少なくとも上述した問題を解消するように、ＬＴＥシステムにおけるリンク適応方法、基地局および端末を提供することを主な目的とする。
【課題を解決するための手段】
【０００７】
本発明の一態様によれば、端末が測定した帰属サービスセルのＲＳＲＰと複数の隣接セルのそれぞれのＲＳＲＰとの差を計算することと、端末が最大の差を基地局に報告することと、基地局が最大の差に基づいて端末のＭＣＳを決定することと、を含むＬＴＥシステムにおけるリンク適応方法が提供される。
【０００８】
また、基地局は、端末のＭＣＳを決定すると共に、端末のＭＣＳに対応するコードレートを決定する。
【０００９】
また、基地局が最大の差に基づいて端末のＭＣＳおよび対応するコードレートを決定することは、基地局が、各々の差に対応するＭＣＳおよびそのコードレートが記憶された予め設定された対応関係テーブルから、最大の差に対応するＭＣＳ及びそのコードレートを探し出すことを含む。
【００１０】
また、基地局が最大の差に基づいて端末のＭＣＳおよび対応するコードレートを決定した後、基地局がＭＣＳ及び対応するコードレート、端末の現在の電力ヘッドルーム報告ＰＨＲにより、端末が現在の送信電力を調整するための端末の送信電力変化値を決定することをさらに含む。
【００１１】
また、基地局がＭＣＳ及び対応するコードレート、端末の現在のＰＨＲにより端末の送信電力変化値を決定することは、基地局がＭＣＳ及び対応するコードレートにより、コードレートに達するのに必要な最小の信号対雑音比ＳＮＲを決定することと、端末が最小のＳＮＲに達するのに必要な最小送信電力を決定することとを含む、基地局がＭＣＳ及び対応するコードレートにより、端末がコードレートに達するのに必要な最小送信電力を決定することと、基地局が端末の現在のＰＨＲと最小送信電力により端末の送信電力変化値を決定することとを含む。
【００１２】
また、基地局が端末の送信電力変化値を決定した後、基地局が送信電力制御ＴＰＣコマンドを介して送信電力変化値を端末に送信することをさらに含む。
【００１３】
また、端末が測定報告により最大の差を基地局に報告する。
【００１４】
本発明の他の態様によれば、端末が測定した帰属サービスセルのＲＳＲＰと複数の隣接セルのそれぞれのＲＳＲＰとの差を計算して得た複数の差のうちの最大値である、端末により報告された最大の差を受信する受信モジュールと、最大の差に基づいて端末のＭＣＳを決定するＭＣＳ決定モジュールと、を備える基地局が提供される。
【００１５】
また、ＭＣＳ決定モジュールは、端末のＭＣＳを決定すると共に、端末のＭＣＳに対応するコードレートを決定する。
【００１６】
また、ＭＣＳ決定モジュールにより決定されたＭＣＳ及び対応するコードレート、端末の現在のＰＨＲにより、端末が現在の送信電力を調整するための端末の送信電力変化値を決定する変化値決定モジュールをさらに備える。
【００１７】
本発明の他の態様によれば、測定した帰属サービスセルのＲＳＲＰと複数の隣接セルのそれぞれのＲＳＲＰとの差を計算する計算モジュールと、基地局が最大の差に基づいて端末のＭＣＳ及びそのコードレート、送信電力変化値を決定するように、最大の差を基地局に報告する送信モジュールと、を備える端末が提供される。
【発明の効果】
【００１８】
本発明によれば、既存の測定パラメータ（サービスセルと隣接セルのＲＳＲＰ）をそのまま利用することにより、端末が、実行すべき正常な測定を行うだけで、所望のパラメータを取得でき、ＣＱＩをさらに測定する必要がないため、新しいシステムオーバヘッドが導入されることはなく、ＡＭＣの流れが簡単化され、システムにおける周波数スペクトル効率が高くなる。
【図面の簡単な説明】
【００１９】
ここで説明する図面は、本発明を更に理解するためのものであり、明細書の一部を構成する。本発明の例示的な実施例およびその説明は、本発明を解釈するものであるが、本発明を不当に限定するものではない。
【図１】本発明の実施例に係るＬＴＥシステムにおけるリンク適応方法のフローチャートである。
【図２】本発明の実施例１に係るＬＴＥシステムにおけるリンク適応方法のフローチャートである。
【図３】本発明の好適な実施例に係るセルの分布を例示する図である。
【図４】本発明の実施例に係る基地局を示す図である。
【図５】本発明の実施例に係る端末を示す図である。
【発明を実施するための形態】
【００２０】
以下、図面を参照しながら、実施例により本発明を詳述する。なお、本願の実施例および実施例の特徴は、衝突がない場合には、互いに組み合わせることが可能である。
【００２１】
ＬＴＥシステムは、（ＡＭＣと電力制御を含む）リンク適応技術により無線チャネルの経時変化を解消し、システムのリソースを活用するＵＥと基地局を備える。本発明の以下の実施例は、当該システムにおいて実現される。
【００２２】
図１は、本発明の実施例に係るＬＴＥシステムにおけるリンク適応方法のフローチャートである。このリンク適応方法は、次のステップを含む。
【００２３】
ステップＳ１０２において、端末は、測定した帰属サービスセルのＲＳＲＰ（Ｒｅｆｅｒｅｎｃｅ  Ｓｉｇｎａｌ  Ｒｅｃｅｉｖｅｄ  Ｐｏｗｅｒ、参照信号受信電力）と複数の隣接セルのそれぞれのＲＳＲＰとの差を計算する。
例えば、端末は、セル（端末の帰属サービスセルまたはサービスセル）にアクセスした後、サービスセルと隣接セルのＲＳＲＰ値を絶えず測定する必要があるため、これら既知のＲＳＲＰ値を処理することができる。
ステップ１において、端末は、予め配置された測定すべき隣接セルの数Ｎ（Ｎは、システムの初期化パラメータを配置する際に配置できる）を測定し、各隣接セルのＲＳＲＰ値を測定して記憶する。これらＮ個の隣接セルのＲＳＲＰ値を、それぞれＲＳＲＰ１、ＲＳＲＰ２、…ＲＳＲＰＮとすることができる。
ステップ２において、端末は、サービスセルのＲＳＲＰ値を測定して記憶する。サービスセルのＲＳＲＰをＲＳＲＰ０とすることができる。
ステップ３において、ＲＳＲＰ０とＲＳＲＰ１、ＲＳＲＰ２、…ＲＳＲＰＮのそれぞれとの差を△ＲＳＲＰ１、△ＲＳＲＰ２、…△ＲＳＲＰｎとして計算する。
【００２４】
ステップＳ１０４において、端末は、最大の差を基地局に報告する。
例えば、ステップＳ１０２で計算された△ＲＳＲＰ１、△ＲＳＲＰ２、…△ＲＳＲＰｎから、最大値ｍａｘ｛△ＲＳＲＰ１、△ＲＳＲＰ２、…△ＲＳＲＰｎ｝を選択する。例えば、最大値を最大△ＲＳＲＰとして基地局に報告する。
【００２５】
ステップＳ１０６において、基地局は、当該最大の差に基づいて端末のＭＣＳを決定する。
例えば、基地局は、当該最大の差に基づいて、サービスセルにおける端末の位置を実質的に決定することができる。この差が大きければ大きいほど、端末がサービスセルの中心に近く、チャネルの品質がよくて、大きいＭＣＳを用いることができる。反面、端末がサービスセルのエッジに位置する可能性があり、小さいＭＣＳを用いることができる。具体的には、予め設定された対応関係テーブルによりこの差を変調符号化方式およびコードレートにマッピングすることができる。この対応関係テーブルは、シミュレーションまたは試験により取得できる。
【００２６】
関連技術において、リンク適応を実現するには、端末は、特にＣＱＩを測定する必要があるため、実現の流れが複雑になり、システムのスループットが増える。端末は、サービスセルにアクセスした後、サービスセルと隣接セルのＲＳＲＰを絶えず測定するため、本実施例では、端末は、これらの測定情報をそのまま利用して、サービスセルのＲＳＲＰと複数の隣接セルのそれぞれのＲＳＲＰとの差を計算し、その差の最大値（すなわち、サービスセルにおける端末の位置を示せる最大△ＲＳＲＰ）を基地局に報告する。すると、基地局は、この最大差に基づいて適切なＭＣＳを決定して端末に割り当て、ＬＴＥシステムのリンク適応技術におけるＡＭＣ方法を実現することができる。本実施例では、既存の測定パラメータ（サービスセルと隣接セルのＲＳＲＰ）をそのまま利用することにより、端末が、実行すべき正常な測定を行うだけで、所望のパラメータを取得できる。ＣＱＩをさらに測定する必要がないため、新しいシステムオーバヘッドが導入されることはなく、流れが簡単化され、システムの周波数スペクトル効率が高くなる。
【００２７】
ステップＳ１０６において、基地局は、端末のＭＣＳを決定すると共に、端末のＭＣＳに対応するコードレートを決定することが好ましい。
【００２８】
ステップＳ１０４での最大差の大きさは、サービスセルにおける端末の大よその位置を示すことができるため、基地局は、この最大差に基づいて、サービスセルにおける端末の位置を実質的に決定することができる。この差が大きければ大きいほど、端末がサービスセルの中心に近く、チャネルの品質がよくて、大きいＭＣＳを用いることができる。反面、この差が小さいと、端末がサービスセルのエッジに位置する可能性があり、小さいＭＣＳを用いることができる。この好ましい実施例において、基地局は、セルにおける端末の位置を示す最大△ＲＳＲＰにより、端末に適する変調符号化方式を選択し、具体的なコードレートグループに対応付けることにより、当該対応するコードレートグループにより、端末がこのコードレートに達するのに必要な最小送信電力を、後続する電力制御の基礎として取得する。
【００２９】
基地局が最大差に基づいて端末のＭＣＳおよび対応するコードレートを決定することは、基地局が、各々の差に対応するＭＣＳ及びそのコードレートが記憶された予め設定された対応関係テーブルから、最大差に対応するＭＣＳ及びそのコードレート（具体的には、１つのコードレートグループ）を探し出すことが好ましい。
【００３０】
この好ましい実施例によれば、基地局が端末により報告された最大差に基づいて、端末に適するＭＣＳおよび対応するそれぞれのコードレートを決定する実施形態が提供される。当該対応関係テーブルは、シミュレーションまたは試験により予め取得することができる。これにより、基地局は、端末に適切なＭＣＳおよび対応するコードレートを容易に決定することができる。言うまでもないが、当該対応関係テーブルにおいて、差が大きければ大きいほど、上位のＭＣＳと大きいコードレートに対応する。端末により報告された最大差は、サービスセルにおける端末の現在位置を反映するものであるため、この差が大きければ大きいほど、端末がサービスセルの中心に近く、チャネルの品質がよいため、対応関係テーブルにより選択されるＭＣＳが上位で、コードレートが大きい。これにより、データの送信速度を向上させることができる。反面、この差が小さいと、端末がサービスセルのエッジに近く、チャネルの品質が悪いため、端末に対して選択されるＭＣＳが下位で、コードレートが小さい。これにより、システムによるデータ送信の信頼性を向上させることができる。また、システムのスループットを増加させることもできる。
【００３１】
実際の実施時には、上記対応関係テーブルにおいて、それぞれの区間を有する差の区間をそれぞれのＭＣＳに対応付ける、すなわち、１つの差の区間を１つのＭＣＳに対応付けてもよい。
【００３２】
基地局が最大差に基づいて端末のＭＣＳおよび対応するコードレートを決定した後、基地局がＭＣＳ及び対応するコードレート、端末の現在のＰＨＲ（Ｐｏｗｅｒ  Ｈｅａｄｒｏｏｍ  Ｒｅｐｏｒｔ、電力ヘッドルーム報告）により、端末が現在の送信電力を調整するための端末の送信電力変化値を決定することをさらに含むことが好ましい。
【００３３】
この好ましい実施例において、基地局は、端末により報告されたＰＨＲを考慮して、当該変調符号化方式のコードレートで端末が調整すべき送信電力変化値（送信電力値の上昇分または下降分）を決定し、端末は、自身の送信電力を適切に調整することができるため、リンク適応技術の電力制御が実現され、スループットを確保すると共に、送信電力を低下させることができ、セルの干渉が抑制され、端末の消費電力が低減される。
【００３４】
基地局がＭＣＳ及び対応するコードレート、端末の現在のＰＨＲにより端末の送信電力変化値を決定することは、次のステップ１及びステップ２を含むことが好ましい。
ステップ１では、基地局がＭＣＳ及び対応するコードレートにより、コードレートに達するのに必要な最小の信号対雑音比ＳＮＲを決定することと、端末が当該最小のＳＮＲに達するのに必要な最小送信電力を決定することとによって、基地局が上記決定したＭＣＳ及び対応するコードレートにより、端末がコードレートに達するのに必要な最小送信電力を決定する。
ステップ２では、基地局が端末の現在のＰＨＲと最小送信電力により端末の送信電力変化値を決定する。
【００３５】
この好ましい実施例によれば、基地局が、決定した端末のＭＣＳ及びそのコードレートにより、端末が利用可能な最小送信電力を求めて端末の現在のＰＨＲと組み合わせて、端末が調整可能な送信電力値（すなわち、上述した送信電力変化値）を求める実施形態が提供される。当該好ましい実施例では、端末により測定されたＲＳＲＰの値を処理して適切なＭＣＳを得るだけで、システムのスループットを満たすことができ、セル内のユーザ間の干渉を改善し、端末の消費電力を省くことができる。
【００３６】
基地局が端末の送信電力変化値を決定した後、基地局がＴＰＣ（Ｔｒａｎｓｍｉｔ  Ｐｏｗｅｒ  Ｃｏｎｔｒｏｌ、送信電力制御）コマンドを介して送信電力変化値を端末に送信することをさらに含むことが好ましい。これにより、基地局は、端末が当該送信電力変化値を用いて自身の送信電力を調整するように、ＴＰＣコマンドを介して上昇または下降可能な電力値を端末に通知する。既存のＴＰＣコマンドにより電力の制御を実現することから、システムのオーバヘッドが増えることはなく、実現が容易である。
【００３７】
ステップＳ１０４において、端末が測定報告により最大差を基地局に報告することが好ましい。これにより、既存の測定報告により最大差の報告を行うことから、上りリンク制御チャネルのオーバヘッドを省くことができる。
【００３８】
言うまでもないが、上述した方法によれば、ＵＥは、サービスセルと隣接セルのＲＳＲＰを絶えず測定し、ステップＳ１０２〜ステップＳ１０４を絶えず実行するため、基地局は、ＵＥにより報告された新しい最大差に基づいて、ＵＥの移動と最新の位置の測定結果の更新を得る。変調符号化方式とコードレートを決定した後、これらの要求を満たすのに必要な最小の電力値を把握することができ、それを端末により報告されたＰＨＲと組み合わせれば、端末が当該コードレートの要求を満たす最小電力で送信を行うように、ＴＰＣコマンドを介して電力の調整値を端末に報知することができる。これにより、システムのスループットが確保されると共に、端末の消費電力が最大限に低減され、ユーザ間の干渉が抑制される。
【００３９】
上述した流れによれば、基地局は、異なる位置にある端末に対して、適切な変調符号化方式と調整電力値を割り当てることができる。
【００４０】
[実施例１]
本発明の実施例に係るＬＴＥシステムにおけるリンク適応方法の処理流れは、図２に示すように、以下のステップを含む。
【００４１】
ステップＳ２０２において、基地局は、ＵＥ（端末）が測定すべき隣接セルの数をｎとして配置し、ＵＥは、この数ｎを取得する。
【００４２】
ステップＳ２０４において、ＵＥは、サービスセルのＲＳＲＰの値（ＲＳＲＰ０とされる）とこれらｎ個の隣接セルのＲＳＲＰの値（それぞれがＲＳＲＰ１、ＲＳＲＰ２、…ＲＳＲＰｎとされる）を測定し、ＲＳＲＰ０とＲＳＲＰ１、ＲＳＲＰ２、…ＲＳＲＰｎのそれぞれとの差を△ＲＳＲＰ１、△ＲＳＲＰ２、…△ＲＳＲＰｎとして計算する。
【００４３】
ステップＳ２０６において、ＵＥは、ステップＳ２０４で計算された複数の差のうちの最大値を△ＲＳＲＰｍａｘとして選択して基地局に報告する（測定報告に添付して報告することができる）。
【００４４】
ステップＳ２０８において、シミュレーションにより得られた差と、ＭＣＳ及びそのコードレートとの対応関係テーブルから、△ＲＳＲＰｍａｘに対応する、ＵＥの位置に適するＭＣＳの値及び対応するコードレートを取得する。シミュレーションにより得られたシミュレーション曲線（△ＲＳＲＰｍａｘを横軸の座標とする）において、△ＲＳＲＰｍａｘの値が大きければ大きいほど、ＵＥがサービスセルの中心に近く、対応するＭＣＳが上位で、コードレートが高い。これにより、ＵＥは、サービスセルの中心に位置すると、上位のＭＣＳと高いコードレートが割り当てられる。この結果、より大きいスループットを取得することができる。
【００４５】
ステップＳ２１０において、当該ＭＣＳとコードレートの配置で、対応する適切なＳＮＲと電力値があり、基地局は、ステップＳ２０８で得られたＭＣＳとコードレートグループにより、当該コードレートに達するのに必要な最小のＳＮＲを得て、端末が当該最小のＳＮＲに達するのに必要な最小送信電力を決定する。これにより、端末の送信電力を適切に小さく又は大きくすることができる。システムのスループットが確保されると共に、セルの干渉が抑制される。
【００４６】
[実施例２]
図３に示すように、セル１には、ＵＥ１とＵＥ２との２つのＵＥがある。本発明の実施例における方法の処理方式によれば、これらのＵＥは、サービスセルであるセル１のＲＳＲＰの値と他の３つの隣接セル（セル２、セル３、セル４）のＲＳＲＰの値を測定する必要がある。
【００４７】
ＵＥ１の方がセルの中心に近接して位置するため、そのサービスセルと隣接セルとのＲＳＲＰの差の最大値が必ずＵＥ２より大きい。これにより、対応するシミュレーション曲線または対応関係テーブルを参照すると、基地局がＵＥ１に割当可能なＭＣＳとコードレートは必ずＵＥ２よりも高い。チャネル品質が良好であるＵＥ１には上位のＭＣＳが割り当てられることで、データの送信速度が向上するのに対して、チャネル品質が相対的に劣るＵＥ２には下位のＭＣＳと低いコードレートが割り当てられることで、システムの送信信頼性が向上する。これにより、選択されたＭＣＳにおいてシステムのスループットを確保することもできる。
【００４８】
[実施例３]
図３に示すように、ＵＥは、移動中に本セル（すなわち、サービスセル）と隣接セルのＲＳＲＰを周期的に測定するため、基地局は、ＵＥの位置を反映する最大の差を動態的に取得することができ、ＭＣＳの配置および電力の制御を柔軟に行うことができる。
【００４９】
図４は、本発明の実施例に係る基地局１０および端末を示す図である。この基地局１０は、端末２０が測定した帰属サービスセルのＲＳＲＰと複数の隣接セルのそれぞれのＲＳＲＰとの差を計算して得た複数の差のうちの最大値である、端末２０により報告された最大差を受信する受信モジュール１０２と、当該最大差に基づいて端末２０のＭＣＳを決定するＭＣＳ決定モジュール１０４と、を備える。
【００５０】
ＭＣＳ決定モジュール１０４は、端末２０のＭＣＳを決定すると共に、端末のＭＣＳに対応するコードレートを決定することが好ましい。
【００５１】
ＭＣＳ決定モジュール１０４は、各々の差に対応するＭＣＳ及びそのコードレートが記憶された予め設定された対応関係テーブルから、当該最大差に対応するＭＣＳ及びそのコードレートを探し出すことにより、当該最大差に基づいて端末のＭＣＳ及び対応するコードレートを決定することが好ましい。
【００５２】
上記基地局１０は、ＭＣＳ決定モジュール１０４により決定されたＭＣＳ及び対応するコードレート、端末２０の現在のＰＨＲにより、端末が現在の送信電力を調整するための端末の送信電力変化値を決定する変化値決定モジュール１０６をさらに備えることが好ましい。
【００５３】
変化値決定モジュール１０６は、最少送信電力決定モジュールと、送信電力変化値決定モジュールとを含むことが好ましい。最少送信電力決定モジュールは、ＭＣＳ決定モジュール１０４により決定されたＭＣＳ及び対応するコードレートを用いて、コードレートに達するのに必要な最小のＳＮＲを決定する第１の決定モジュールと、端末２０が当該最小のＳＮＲに達するのに必要な最小送信電力を決定する第２の決定モジュールとを含んでおり、ＭＣＳ決定モジュール１０４により決定されたＭＣＳ及び対応するコードレートを用いて、端末２０がこのコードレートに達するのに必要な最小送信電力を決定する。送信電力変化値決定モジュールは、端末の現在のＰＨＲと最小送信電力を用いて端末の送信電力変化値を決定する。
【００５４】
基地局１０は、変化値決定モジュール１０６が端末の送信電力変化値を決定した後に、ＴＰＣコマンドを介して当該送信電力変化値を端末２０に送信する送信モジュールをさらに備えることが好ましい。
【００５５】
図５は、本発明の実施例に係る端末２０を示す図である。この端末２０は、測定した帰属サービスセルのＲＳＲＰと複数の隣接セルのそれぞれのＲＳＲＰとの差を計算する計算モジュール２０２と、基地局１０が計算モジュール２０２により算出された複数の差のうちの最大差に基づいて端末２０の変調符号化方式ＭＣＳ及びそのコードレート、送信電力変化値を決定するように、当該最大差を基地局１０に報告する送信モジュール２０４と、を備える。
【００５６】
送信モジュール２０４は、測定報告により当該最大差を基地局１０に報告することが好ましい。
【００５７】
上述したように、本発明は、以下の技術的効果を実現する。
（１）ＬＴＥシステムにおけるリンク適応技術のＡＭＣ方法と電力制御が実現される。
（２）既存の測定パラメータ（サービスセルと隣接セルのＲＳＲＰ）をそのまま利用することにより、端末が、実行すべき正常な測定を行うだけで、所望のパラメータを取得でき、ＣＱＩをさらに測定する必要がないため、新しいシステムオーバヘッドが導入されることはなく、ＡＭＣの流れが簡単化され、システムの周波数スペクトル効率が高くなる。
（３）システムのスループットを確保すると共に、端末の消費電力を最大限に低減し、ユーザ間の干渉を抑制することができる。
【００５８】
なお、上述した本発明の各モジュールまたはステップは、汎用のコンピュータ装置により実現することができ、単一のコンピュータ装置に集中して配置されてもよく、複数のコンピュータ装置からなるネットワークに配置されてもよい。また、コンピュータ装置が実行可能なプログラムコードにより実現されてもよい。これにより、記憶装置に記憶されてコンピュータ装置により実行される。また、一部の場合には、ここで示された又は説明されたステップをここでの順序と異なる順に実行してもよいか、それぞれを各々の集積回路モジュールに作成するか、それらの中の複数のモジュールまたはステップを単一の集積回路モジュールに作成することにより実現することができる。このように、本発明は、いずれの特定のハードウェアとソフトウェアの組み合わせにも限定されない。
【００５９】
以上は、本発明の好適な実施例に過ぎず、本発明を限定するものではない。当業者であれば、本発明の様々な変更や変形が可能である。本発明の精神や原則を逸脱しないいずれの変更、置換、改良なども本発明の保護範囲内に含まれる。
【図１】
2013531421.tif 000003
【図２】
2013531421.tif 000004
【図３】
2013531421.tif 000005
【図４】
2013531421.tif 000006
【図５】
2013531421.tif 000007
【国際調査報告】
2013531421.tif 000008
2013531421.tif 000009
2013531421.tif 000010
2013531421.tif 000011
2013531421.tif 000012
2013531421.tif 000013